(57)【要約】【課題】検体の個数やサイズが変わっても、対応し得る医療検査用カセットを提供する。【解決手段】カセット本体１と蓋とを具備してなり、カセット本体１は、上面を開放した方形の容器で、底部に多数の透孔３を有している。カセット本体１が全く区画されていない状態を容積最大の基本容器とし、この状態のカセット本体１の内部に、タテ壁１３とヨコ壁１４が略中央で交叉するように一体化された十字状からなり、それぞれの両端には固定部１３ａ、１４ａが延設されたパーティション１２が装着され小室が４個形成される。よって、容積最大の基本容器のまま利用すれば、検体が大きい場合に対応でき、また、パーティション１２をカセット本体１に装着すれば検体４個に対応できる。【選択図】    図４
2005016948.tif 000002
【特許請求の範囲】
【請求項１】
カセット本体と蓋とを具備してなり、前記カセット本体が上面を開放し、多数の透孔を有し、検体を収容し得る方形の容器からなり、前記蓋がカセット本体に着脱自在に取り付けられ、多数の透孔を有してなる医療検査用カセットにおいて、前記カセット本体内に、少なくとも２個の壁が交叉するように一体化されたパーティションが着脱自在に装着されていることを特徴とする医療検査用カセット。
【請求項２】
壁の一端又は両端に固定部が設けられている請求項１記載の医療検査用カセット。
【請求項３】
少なくとも２個の壁が少なくとも１個のタテ壁と少なくとも１個のヨコ壁からなる請求項１又は２記載の医療検査用カセット。
【請求項４】
固定部のカセット本体内壁と接する面がタテ壁又はヨコ壁に対して垂直方向±５度の範囲である請求項３記載の医療検査用カセット。
【請求項５】
固定部が板状体からなる請求項３又は４記載の医療検査用カセット。
【請求項６】
固定部が波形状の板状体からなる請求項５記載の医療検査用カセット。
【請求項７】
固定部が外側方向に湾曲した弧状の板状体からなる請求項５記載の医療検査用カセット。
【請求項８】
２個の壁が交叉する角部及びタテ壁及びヨコ壁が固定部と接する角部が円弧状又は鈍角に形成されている請求項１〜７のいずれか１項に記載の医療検査用カセット。
【請求項９】
カセット本体と蓋とを具備してなり、前記カセット本体が上面を開放し、多数の透孔を有し、検体を収容し得る方形の容器からなり、前記蓋がカセット本体に着脱自在に取り付けられ、多数の透孔を有してなる医療検査用カセットにおいて、前記カセット本体内に、矩形状のパーティションが着脱自在に装着されていることを特徴とする医療検査用カセット。
【請求項１０】
矩形状パーティションのカセット本体内壁と接する辺に、カセット本体内壁に対して水平方向±５度の範囲で固定部が設けられている請求項９記載の医療検査用カセット。
【請求項１１】
固定部が板状体からなる請求項１０記載の医療検査用カセット。
【請求項１２】
固定部が波形状の板状体からなる請求項１０記載の医療検査用カセット。
【請求項１３】
固定部が外側方向に湾曲した弧状の板状体からなる請求項１０記載の医療検査用カセット。
【請求項１４】
矩形状パーティションの角部及び固定部と接する角部が円弧状又は鈍角に形成されている請求項９〜１３のいずれか１項に記載の医療検査用カセット。
【請求項１５】
蓋及び／又はカセット本体が耐薬品性の透明樹脂からなる請求項１〜１４のいずれか１項に記載の医療検査用カセット。
【請求項１６】
透明樹脂がポリプロピレン樹脂である請求項１〜１５のいずれか１項に記載の医療検査用カセット。
【請求項１７】
透明樹脂がポリエステル樹脂である請求項１〜１５のいずれか１項に記載の医療検査用カセット。
【発明の詳細な説明】
【０００１】
【発明の属する技術分野】
本発明は、医療検査用顕微鏡標本の作成に使用する医療検査用カセットに関し、更に詳しくは、大小の検体、単数から複数までの検体に対応できるパーティションを着脱自在に備えた医療検査用カセットに関する。
【０００２】
【従来の技術】
従来の医療検査用カセットとしては、例えば、図３０、３１に示したものが知られている（例えば、特許文献１参照）。図３０は医療検査用カセットの構成を示す断面図であり、図３１は前記カセットから蓋を取り外した状態のカセット本体の上面図である。図３０、３１に示したように、従来の医療検査用カセットは、耐薬品性樹脂からなるカセット本体１と蓋２とを具備してなる。
【０００３】
カセット本体１は、上面を開放した方形の容器で、底部に多数の透孔３を有し、短辺側の一側壁の外側に底部に向かって末広がり状に傾斜した板状の記録部４を有し、その内側に係止溝５を有し、他の側壁の外側に係止部６を有する。
【０００４】
一方、カセット本体１の上面に被着される蓋２は、着脱可能な板状体で、板面に多数の透孔７を有し、裏面の外周面に沿ってカセット本体１内に嵌合するリブ８と、後述する仕切壁１６を両側から挟着するリブ８とを有し、短辺側の一方側には係止溝５の記録部４の裏面に沿って嵌入係合する傾斜状係止片９を有し、短辺側の他方側にはカセット本体１よりも僅かに大きめの突縁部１０を有し、係止部６と係合する係止片１１を有している。
【０００５】
そして、カセット本体１の内部は、全く区画されてないものを基本容器とし、成形時にカセット本体１と一体的に成形された仕切壁１６で区画される複数の小室（図では９室の例を示している）１７を備えている。実際の医療現場においては、仕切壁１６の無い基本容器のものから仕切壁１６によって区画された小室１７を有する医療検査用カセットの中から検体のサイズに適合したものを選択して利用される。
すなわち、カセット本体１に検体（図示せず）を入れるに際しては、大きい検体で個数が１個の場合には、カセット本体１に仕切壁１６の無い基本容器としてのカセットに入れられ、あるいは複数個の場合には仕切壁１６の比較的少ない大き目の小室１７を有するカセットに入れられ、また、小さい検体で個数が１個の場合には、仕切壁１６の無い基本容器としてのカセットに入れられ、あるいは複数個の場合には、仕切壁１６が比較的多く、小さ目の小室１７を備えたカセットに入れられる。
【０００６】
【特許文献１】
特開２００１−３２４４２８公報
【０００７】
【発明が解決しようとする課題】
しかしながら、上記の如く、成形時にカセット本体を仕切壁で仕切って小室を形成してなる仕切壁固定方式の医療検査用カセットにおいては、検体の個数やサイズに対応した大小さまざまな小室を１個又は複数個有する数多くの種類のカセットを予め準備しておく必要があり、従って、カセットの供給メーカーやユーザーにとっては、その生産や在庫管理が面倒であるばかりでなく、運搬や保管のためのスペースも必要で、これらは全てコストアップの要因になっていた。
【０００８】
また、パラフィンブロックを作製する工程において、検体を収容したトレイの段部にカセット本体を載せ、カセット本体が液状パラフィンに浸るまで液状パラフィンをカセット本体の上方から検体上に注ぎ足すが、この場合に、仕切壁が邪魔となって液状パラフィンの透過を妨げ、液状パラフィンの注ぎ足しの作業効率を低下させる。
【０００９】
更にまた、液状パラフィンが固化した後トレイを取り去ることにより、検体を包埋したパラフィンがカセット本体の底部に付着したパラフィンブロックが得られるが、このパラフィンブロックを収納ケース内に横向きに並べる場合に、やはり仕切壁が邪魔になってパラフィンブロックの頂部が仕切壁に当たり、収納効率を低下させることになる。
【００１０】
本発明は、上記諸課題に鑑み、検体の個数やサイズが変わっても、カセットは一種類か極めて少ない種類で対応することを可能とし、該カセットの生産や在庫管理を容易にするとともに、運搬や保管のためのスペースを最小にして、トータルコストの低減を図り、更にパラフィンの注ぎ足しの作業効率を向上させるとともに、パラフィンブロックの収納効率を向上せしめることを目的とする。
【００１１】
【課題を解決するための手段】
上記目的を達成するために、本発明の請求項１は、カセット本体と蓋とを具備してなり、前記カセット本体が上面を開放し、多数の透孔を有し、検体を収容し得る方形の容器からなり、前記蓋がカセット本体に着脱自在に取り付けられ、多数の透孔を有してなる医療検査用カセットにおいて、前記カセット本体内に、少なくとも２個の壁が交叉するように一体化されたパーティションが着脱自在に装着されていることを特徴とする医療検査用カセットを内容とする。
【００１２】
本発明の請求項２は、壁の一端又は両端に固定部が設けられている請求項１記載の医療検査用カセットを内容とする。
【００１３】
本発明の請求項３は、少なくとも２個の壁が少なくとも１個のタテ壁と少なくとも１個のヨコ壁からなる請求項１又は２記載の医療検査用カセットを内容とする。
【００１４】
本発明の請求項４は、固定部のカセット本体内壁と接する面がタテ壁又はヨコ壁に対して垂直方向±５度の範囲である請求項３記載の医療検査用カセットを内容とする。
【００１５】
本発明の請求項５は、固定部が板状体からなる請求項３又は４記載の医療検査用カセットを内容とする。
【００１６】
本発明の請求項６は、固定部が波形状の板状体からなる請求項５記載の医療検査用カセットを内容とする。
【００１７】
本発明の請求項７は、固定部が外側方向に湾曲した弧状の板状体からなる請求項５記載の医療検査用カセットを内容とする。
【００１８】
本発明の請求項８は、２個の壁が交叉する角部及びタテ壁及びヨコ壁が固定部と接する角部が円弧状又は鈍角に形成されている請求項１〜７のいずれか１項に記載の医療検査用カセットを内容とする。
【００１９】
本発明の請求項９は、カセット本体と蓋とを具備してなり、前記カセット本体が上面を開放し、多数の透孔を有し、検体を収容し得る方形の容器からなり、前記蓋がカセット本体に着脱自在に取り付けられ、多数の透孔を有してなる医療検査用カセットにおいて、前記カセット本体内に、矩形状のパーティションが着脱自在に装着されていることを特徴とする医療検査用カセットを内容とする。
【００２０】
本発明の請求項１０は、矩形状パーティションのカセット本体内壁と接する辺に、カセット本体内壁に対して水平方向±５度の範囲で固定部が設けられている請求項９記載の医療検査用カセットを内容とする。
【００２１】
本発明の請求項１１は、固定部が板状体からなる請求項１０記載の医療検査用カセットを内容とする。
【００２２】
本発明の請求項１２は、固定部が波形状の板状体からなる請求項１０記載の医療検査用カセットを内容とする。
【００２３】
本発明の請求項１３は、固定部が外側方向に湾曲した弧状の板状体からなる請求項１０記載の医療検査用カセットを内容とする。
【００２４】
本発明の請求項１４は、矩形状パーティションの角部及び固定部と接する角部が円弧状又は鈍角に形成されている請求項９〜１３のいずれか１項に記載の医療検査用カセットを内容とする。
【００２５】
本発明の請求項１５は、蓋及び／又はカセット本体が耐薬品性の透明樹脂からなる請求項１〜１４のいずれか１項に記載の医療検査用カセットを内容とする。
【００２６】
本発明の請求項１６は、透明樹脂がポリプロピレン樹脂である請求項１〜１５のいずれか１項に記載の医療検査用カセットを内容とする。
【００２７】
本発明の請求項１７は、透明樹脂がポリエステル樹脂である請求項１〜１５のいずれか１項に記載の医療検査用カセットを内容とする。
【００２８】
【作用】
本発明の医療検査用カセットは、内部に仕切りの無いカセット本体を容積最大の基本容器とし、該カセット本体内に、少なくとも２個の壁が交叉するように一体化された交叉状パーティション又は矩形状のパーティションを装着することにより、検体の大きさや個数に応じて、複数の小室を容易に形成することができる。従って、予め小室のサイズや数を異にする多くの種類のカセットを準備する必要がなく、経済的にも作業性の面でも極めて有利である。
【００２９】
また、パーティションに固定部を設けることにより、文字通りパーティションが安定的にカセット本体内に装着固定される。更に、タテ壁とヨコ壁とからなる交叉状パーティションの固定部のカセット本体内壁と接する面をタテ壁、ヨコ壁に対して垂直方向±５度、或いは矩形状パーティションの固定部の角度をカセット本体の内壁と接する辺に対して水平方向±５度の範囲で偏位させることにより、該偏位分だけ強制的に変形させてカセット本体内に取り付けることができる。この場合、取り付けた後は変形させた偏位分が元の偏位状態に戻ろうとしてカセット本体内壁を押圧することによりパーティションはカセット本体内に圧入装着されるので、パーティションは一層安定的に固定され、不用意にカセット本体内を移動したり、ガタツキが防止される。
矩形状パーティションの場合も、カセット本体内壁と接する辺をカセット本体内壁に対して水平方向±５度の範囲で偏位させることにより、同様の効果を得ることができる。
【００３０】
また、固定部を設けることにより、パーティション内の角部及びパーティションと固定部との接触部の角部を円弧状又は鈍角に形成することが可能となり、狭い角部に入り込んだ検体をピンセットで取り出すのが困難といったトラブルが防止できる。
【００３１】
また、固定部はパーティションを安定性にカセット本体内に取り付けるためには、通常、板状体からなることが好ましい。この場合は、上記した偏位の他、波形状としたり、外側方向（カセット本体の内壁方向）に湾曲させて弧状とすることにより、これらの形状に由来する弾性変形及び復元力を利用して、パーティションをカセット本体内に圧入し、パーティションの不用意な移動やガタツキを阻止することができる。
【００３２】
また、パラフィンブロック作製の工程において、パラフィンの透過を妨げるパーティションを取り外して実施できるので、パラフィンの注ぎ足しの作業効率が高められ、更に、得られたパラフィンブロックを収納ケース内に並べる場合に、パーティションを取り外すことにより、カセットブロックの一部がカセット本体内に重なり合うのでパーティションの厚みだけスペースを小さくでき、その結果、パラフィンブロックの収納効率が大巾に高められる。
【００３３】
また、カセット本体、蓋のいずれかが、又はその両方が透明樹脂で作成されることにより、カセット内部に収容した検体の状況（大きさ、個数、形状、色、カセット本体内での存在位置、濾紙とともに検体を収容した場合は、濾紙の位置、濾紙上の検体の方向等）を明確に視認することを可能とし、もって、顕微鏡標本作成の効率化、確実化を図るとともに、精度の高い検査結果を得ることができる。
【００３４】
【発明の実施の形態】
本発明の医療検査用カセット及びパーティションの材質は、耐薬品性の合成樹脂や金属が好ましく、合成樹脂としては例えばポリアセタール、ポリアミド、ポリカーボネート、ポリエステル、ポリプロピレン等が挙げられ、また金属としてはステンレス等が挙げられる。更に、カセット本体を合成樹脂製とし、蓋を金属製とすることもでき、その逆も可能である。
【００３５】
透明樹脂としては、例えば、ポリプロピレン樹脂、ポリエステル（特にＰＥＴ）樹脂が好適であり、とりわけ耐薬品性に優れ低コストという点からポリプロピレン樹脂が好適である。
【００３６】
本発明におけるパーティションは、少なくとも２個の壁が交叉するように一体化されていることを特徴とする。少なくとも２個の壁は、少なくとも１個のタテ壁と少なくとも１個のヨコ壁とからなることが好ましく、また壁の一端又は両端に固定部を設けることが好ましい。パーティションを安定的にカセット本体内に取り付けられるとともに、角部を円弧状や鈍角に形成でき、ピンセットによる検体の取り扱いを容易になし得るという点からは、固定部を壁の両端に設けるのが好ましい。固定部は、壁のいずれか片側にＬ字状に設けてもよく、また両側にＴ字状に設けてもよいが、一般に、後者の方がパーティションを一層安定的に取り付けることができる。少なくとも２個の壁の一体化は接着剤等により一体化してもよいが、成形により一体化するのが好ましい。壁への固定部の取り付けも同様である。
【００３７】
パーティションはカセット本体内に圧入されることが好ましく、これによりパーティションがカセット本体内で不用意に移動したり、ガタツキが生じるのを防止することができる。例えば、壁の長さを僅かにに大きくした大き目のパーティションをカセット本体内に圧入することができる。また、パーティションがタテ壁とヨコ壁とからなる場合、これらの一端又は両端に設けられる固定部のカセット本体と接する面が、壁に対して垂直方向±５度の範囲で偏位するように設計することができる。このように固定部を偏位させることにより、該偏位分だけ強制的に変形させて壁に対して略垂直状としてカセット本体内に取り付ければ、取り付け後は変形させた偏位分が元の偏位状態に戻ろうとしてカセット本体の内壁を押圧し、パーティションはカセット本体内に圧入され、カセット本体内での不用意な移動やガタツキが阻止される。
【００３８】
固定部は壁をカセット本体内で固定できれば特に制限されず、例えば、形状については、矩形、三角形、楕円形等のいずれでもよいが、特に板状体が好ましい。また、板状体は、上記した偏位の他、カセット本体内壁側に弧状に湾曲させたり、また波板状とすることにより、支持部の弾性変形及び復元力を利用して、パーティションをカセット本体内に圧入して取り付けることが可能となり、パーティションの不用意な移動やガタツキを防ぐことができる。更にまた、固定部を中空状として、その形状変形及びその復元力を利用しても同様の効果を得ることができる。
【００３９】
パーティションは、壁がカセット本体内を縦、横、斜等のいずれの方向にも仕切るように取り付けることができ、これにより略同サイズ又は異サイズの複数の小室を形成させることができる。
【００４０】
本発明の第２のパーティションは、矩形状であることを特徴とする。この場合も、固定部を、矩形状パーティションのカセット本体の内壁と接する辺に、カセット本体の内壁に対して水平方向±５度の範囲で偏位させて設けたり、外側に湾曲させ弧状としたり、波形状とすることにより、上記と同様に、パーティションはカセット本体内に圧入され、カセット本体内での不用意な移動やガタツキが防止される。また、固定部を中空状として、その形状変形及びその復元力を利用して同様の効果を得ることができる。
【００４１】
また、カセット本体、蓋のいずれかが、又はその両方が透明材料で作成されることにより、蓋のみが透明材料からなる場合は蓋の外側から、また、カセット本体のみが透明材料からなる場合はカセット本体（側壁又は底部）の外側から、更に、カセット本体と蓋の両方が透明材料からなる場合は、カセット本体及び蓋の両方の外側から、内部の検体の状況を視認することができる。即ち、カセット内部に収容した検体の状況（大きさ、個数、形状、色、カセット本体内での存在位置、濾紙とともに検体を収容した場合は、濾紙の位置、濾紙上の検体の方向等）を明確に視認することを可能とし、もって、顕微鏡標本作成の効率化、確実化を図るとともに、精度の高い検査結果を得ることができる。
【００４２】
【実施例】
以下、本発明の医療検査用カセットの実施例を図面に基づいて説明するが、本発明はこれらにより何等限定されるものではない。
【００４３】
実施例１
図１（ａ）、（ｂ）は、本発明の医療検査用カセットの上面図及び側面図、図２及び図３は、図１におけるそれぞれのＡ−Ａ断面図及びＢ−Ｂ断面図である。また、図４はカセットから蓋の部分を取り外して上から視たときの、パーティションを装着したカセット本体の上面図である。
尚、カセット本体の上面図は、図面が煩雑になるのを避けるため、透孔が省略されている。実施例２以降においても同様である。
【００４４】
図１（ａ）、（ｂ）〜図４に示すように、本発明の医療検査用カセットは、カセット本体１と蓋２とを具備してなり、カセット本体１は、上面を開放した方形の容器で、底部に多数の透孔３を有し、短辺側の一側壁の外側に底部に向かって末広がり状に傾斜した板状の記録部４を有し、その内側に係止溝５を有し、他の側壁の外側に係止部６を有する。
【００４５】
また、カセット本体１の上面に嵌合される蓋２は、着脱可能な板状体で、板面に多数の蓋透孔７を有し、裏面の外周面に沿ってカセット本体１内に嵌合するリブ８を有し、短辺側の一方側には前記係止溝５の記録部４の裏面に沿って嵌入係合する傾斜状係止片９を有し、短辺側の他方側にはカセット本体１よりも僅かに大きめの突縁部１０を有し、係止部６と係合する係止片１１を有している。
【００４６】
カセット本体１内には、パーティション１２が装着され、該パーティション１２は、タテ壁１３とヨコ壁１４が各中央で交叉するように一体化された十字状からなり、それぞれの両端には、それぞれに対して垂直方向に、即ち、カセット本体１の内壁に接するように、それぞれ固定部１３ａ、１４ａが延設されている。本例の場合は同一サイズの小室が４個形成されているが、タテ壁１３及び／又はヨコ壁１４の交叉箇所をずらせることにより、大小２個づつの小室又は大小４個の小室を形成することも可能である。
【００４７】
板状体からなる固定部１３ａ、１４ｂは、高さがリブ８の分だけ低く、カセット本体１に蓋２を嵌合した際は、図２、図３で示したように、蓋２のリブ８が嵌合するので、運搬する際などにパーティション１２が上下に揺れ動くことはない。
【００４８】
図では、固定部１３ａはタテ壁１３の両側に、また固定部１４ａはヨコ壁１４の両側に対称的に延設されているが、必ずしも対称でなくてもよく、また、いずれか片側でもよい。しかし、安定的に固定できる点や、ピンセット操作を容易にするために角部を円弧状や鈍角に形成できる点からは、両側に対称的に設けるのが好ましい。
また、タテ壁１３とその固定部１３ａとのなす角度、及び／又は、ヨコ壁１４とその固定部１４ａとのなす角を直角よりも僅かに狭い鋭角又は広い鈍角（±５度以内、好ましくは±３度以内）として、カセット本体１にパーティション１２を圧入装着することにより、固定部１３ａ、１４ａの弾力性（復元力）によりカセット本体１の内壁を押圧することになり、パーティション１２はより安定的に固定でき、パーティション１２が不用意にカセット本体１内を移動したりガタツキを防ぐことができる（図４の破線参照）。この場合、全ての固定部について角度を変える必要はなく、少なくとも１個の固定部の角度を変えることで目的を達成することができる。
【００４９】
実施例２
図５は、本実施例のカセット本体の上面図である。なお、医療検査用カセットを構成する各要素の中、前述の実施例１と同一の構成要素についてはその説明を割愛し、それ以外の異なる内容について説明する。
【００５０】
図５に示したように、本実施例の医療検査用カセットは、カセット本体１内に、１個のヨコ壁１４に等間隔で２個のタテ壁１３が交叉するように一体化され、ヨコ壁１４の両端には固定部１４ａが、またタテ壁１３の両端には固定部１３ａがそれぞれ設けられたパーティション１２が装着されている。この場合にも、実施例１と同様、固定部１３ａ及び／又は１４ａの角度を変えて圧入装着したり、またタテ壁１３、ヨコ壁１４の交叉箇所を変えることにより大小サイズの異なる小室を形成することができる。
【００５１】
実施例３
図６は、本実施例のカセット本体の上面図である。同図に示すように、本実施例の医療検査用カセットは、カセット本体１内に、等間隔の２個のヨコ壁１４に等間隔で２個のタテ壁１３が交叉するように一体化され、ヨコ壁１４の両端には固定部１４ａが、またタテ壁１３の両端には固定部１３ａがそれぞれ設けられたパーティション１２が装着されている。この場合にも、実施例１と同様、固定部１３ａ及び／又は１４ａの角度を変えて圧入装着したり、またタテ壁１３、ヨコ壁１４の交叉箇所を変えることにより大小サイズの異なる小室を形成することができる。
【００５２】
実施例４
図７は、本実施例のカセット本体の上面図である。同図に示すように、本実施例の医療検査用カセットは、カセット本体１内に、２個の壁１３、１４が斜めに交叉するように一体化され、壁１３の両端には三角形状の固定部１３ａが、また壁１４の両端には三角形状の固定部１４ａがそれぞれ設けられたパーティション１２が斜めに対向する角部に該固定部１３ａ、１４ａを嵌入させて装着されている。この場合には、三角形状の同一サイズの小室が形成される。
【００５３】
実施例５
図８は、本実施例のカセット本体の上面図である。同図に示すように、本実施例の医療検査用カセットは、実施例１に示したパーティション１２において、タテ壁１３の固定部１３ａの一個が波板状の固定部１３ａからなっている。パーティション１２は該波形状固定部１３ａの弾性変形を利用してカセット本体１内に圧入され、同一サイズの小室が形成される。
【００５４】
実施例６
図９は、本実施例のカセット本体の上面図である。同図に示すように、本実施例の医療検査用カセットは、実施例１に示したパーティション１２において、ヨコ壁１４、タテ壁１３の両端には、それぞれ略三角形状の固定部１４ａ、１３ａが設けられ、そのうちの一個の固定部１３ａのカセット本体１の内壁と接する側が切り欠かれている。この場合は、パーティション１２は切り欠かれた固定部１３ａの弾性変形を利用してカセット本体１内に圧入され、同一サイズの小室が形成される。
【００５５】
実施例７
図１０は、本実施例のカセット本体の上面図である。同図に示すように、本実施例の医療検査用カセットは、実施例１に示したパーティション１２において、ヨコ壁１４の両端に設けられた固定部１３ａの一個が楕円筒形状の固定部１４ａからなっている。この場合は、パーティション１２は該楕円筒形状の固定部１４ａの弾性変形を利用してカセット本体１内に圧入され、同一サイズの小室が形成される。
【００５６】
実施例８
図１１は、本実施例のカセット本体の上面図である。同図に示すように、本実施例の医療検査用カセットは、カセット本体１内に、矩形状パーティション１５が装着されており、該矩形状パーティション１５のカセット本体１の内壁と接する辺に略水平方向に固定部１５ａが延設されている。この場合も、実施例１と同様、固定部１５ａの角度を変えて矩形状パーティション１５を圧入装着することができる。本例では矩形状パーティション１５はカセット本体１内の略中央に装着され、同一サイズの小室が３個形成されている。
【００５７】
実施例９
図１２は、本実施例のカセット本体の上面図である。図示したように、実施例８で使用した図１１の矩形状パーティション１５がカセット本体１内に、その中央よりも右寄りに装着され、サイズの異なる３個の小室が形成されている。この場合も、実施例１と同様、固定部１５ａの角度を変えてカセット本体１内に圧入装着することができる。
【００５８】
実施例１０
図１３は、本実施例のカセット本体の上面図で、図示したように、カセット本体１内に、矩形状パーティション１５がヨコ方向に装着され、実施例８の図１１に示したカセットに比べて、細長い検体を収容するのに適している。
【００５９】
実施例１１
図１４は、本実施例のカセット本体の上面図で、図示したように、実施例１の図４では、タテ壁１３、ヨコ壁１４が互いに略中央で交叉したパーティション１２であるのに対し、本例ではタテ壁１３のヨコ壁１４との交叉箇所を右寄りにずらせたパーティション１２がカセット本体１内に装着され、大きなサイズの小室２個、小さなサイズの小室２個が形成されている。
【００６０】
実施例１２
図１５は、本実施例のカセット本体の上面図で、図示したように、実施例８の図１１で示した矩形状パーティション１５の固定部１５ａをカセット本体１の容器のヨコの長さと略同一長さとしたものである。このように構成することにより、矩形状パーティション１５は安定的にカセット本体１内に装着され、該パーティション１５がカセット本体１内で移動して小室のサイズが変動することが防止される。
【００６１】
実施例１３
図１６は、本実施例のカセット本体の上面図で、図示したように、実施例８の図１１で示した矩形状パーティション１５において、該パーティション１５のカセット本体１の内壁と接する短辺側の辺１５ｂ及び固定部１５ａを弧状に形成し、該パーティション１５がカセット本体１内に圧入装着され、その弾発力を利用して矩形状パーティション１５が安定的にカセット本体１内に装着されている。
【００６２】
実施例１４〜２６
図１７〜図２９に示すように、実施例１〜１３（図１〜図１６）に示した医療検査用カセットにおいて、パーティション１２、１５の角部及び該パーティション１２、１５と固定部１３ａ、１４ａ、１５ａとの接する角部を円弧状として、鋭角部を無くした構成からなる。このように構成することにより、微小な検体が鋭角からなる角部に入り込み、ピンセットで取り出すのが困難になるといったトラブルが解消され、作業性が大巾に向上する。
【００６３】
上記実施例は、蓋の短辺側に傾斜状係止片９を有するカセットに代表させて説明したが、本発明はかかる構造のカセットに限定されず、カセット本体をパーティションで仕切るカセット全てに適用されることは勿論である。
【００６４】
【発明の効果】
叙上のように、本発明の医療検査用カセットによれば下記の如き特徴及び利点を有する。
【００６５】
本発明の医療検査用カセットは、内部に仕切りの無い状態を基本容器とし、ここに交叉状又は矩形状パーティションを装着することによって、形・大きさ及び個数の異なる種々の検体に対応して小室を着脱自在に形成することができる。従って、カセットは一種類又は少数の種類を準備するだけで対応できるので、その生産や在庫管理を容易にするとともに、運搬や保管のためのスペースを最小限にして、コストを低減することが可能となる。
【００６６】
また、パーティションに固定部を設けることにより、文字通りパーティションが安定的にカセット本体内に装着される。更に、交叉状パーティションの固定部の角度をタテ壁、ヨコ壁に対して直角方向±５度以内、或いは矩形状パーティションの固定部の角度をカセット本体の内壁に対して水平方向±５度以内としたり、固定部を波板状としたり、外側方向（カセット本体の内壁方向）に湾曲させて弧状としたり、中空状とすることにより、これらの形状に由来する弾性変形及び復元力を利用して、パーティションをカセット本体内に圧入装着することにより、パーティションは一層安定的に固定され、カセット本体内における不用意な移動及びガタツキが防止される。
【００６７】
また、固定部を設けることにより、パーティション内の角部及びパーティションと固定部との接触部の角部を円弧状又は鈍角に形成することが可能となり、狭い角部に入り込んだ検体をピンセットで取り出すのが困難といったトラブルが防止できる。
【００６８】
また、パラフィンブロック作製の工程において、パラフィンの透過を妨げるパーティションを取り外して実施できるので、注ぎ足しの作業効率が高められる。更に、パーティションを取り外して、パラフィンブロックを収納ケース内に並べられるので、パーティションの厚みだけスペースを小さくでき、その結果、パラフィンブロックの収納効率が大巾に高められる。
【００６９】
更に、カセット本体、蓋のいずれか、又はその両方を透明樹脂で作成することにより、内部の検体の状況を視認することができ、顕微鏡標本作成の効率化、確実化を図るとともに、精度の高い検査結果を得ることができる。
【図面の簡単な説明】
【図１】（ａ）本発明の実施例１における医療検査用カセットの上面図である。
（ｂ）同カセットの側面図である。
【図２】同カセットの図１におけるＡ−Ａ断面図である。
【図３】同カセットの図１におけるＢ−Ｂ断面図である。
【図４】同カセットから蓋の部分を取り外し、上から視たときのカセット本体とパーティションの関係を示す上面図である。
【図５】本発明の実施例２における医療検査用カセットの蓋の部分を取り外し、上から視たときのカセット本体とパーティションの関係を示す上面図である。
【図６】本発明の実施例３における医療検査用カセットの蓋の部分を取り外し、上から視たときのカセット本体とパーティションの関係を示す上面図である。
【図７】本発明の実施例４における医療検査用カセットの蓋の部分を取り外し、上から視たときのカセット本体とパーティションの関係を示す上面図である。
【図８】本発明の実施例５における医療検査用カセットの蓋の部分を取り外し、上から視たときのカセット本体とパーティションの関係を示す上面図である。
【図９】本発明の実施例６における医療検査用カセットの蓋の部分を取り外し、上から視たときのカセット本体とパーティションの関係を示す上面図である。
【図１０】本発明の実施例７における医療検査用カセットの蓋の部分を取り外し、上から視たときのカセット本体とパーティションの関係を示す上面図である。
【図１１】本発明の実施例８における医療検査用カセットの蓋の部分を取り外し、上から視たときのカセット本体とパーティションの関係を示す上面図である。
【図１２】本発明の実施例９における医療検査用カセットの蓋の部分を取り外し、上から視たときのカセット本体とパーティションの関係を示す上面図である。
【図１３】本発明の実施例１０における医療検査用カセットの蓋の部分を取り外し、上から視たときのカセット本体とパーティションの関係を示す上面図である。
【図１４】本発明の実施例１１における医療検査用カセットの蓋の部分を取り外し、上から視たときのカセット本体とパーティションの関係を示す上面図である。
【図１５】本発明の実施例１２における医療検査用カセットの蓋の部分を取り外し、上から視たときのカセット本体とパーティションの関係を示す上面図である。
【図１６】本発明の実施例１３における医療検査用カセットの蓋の部分を取り外し、上から視たときのカセット本体とパーティションの関係を示す上面図である。
【図１７】本発明の実施例１４における医療検査用カセットの蓋の部分を取り外し、上から視たときのカセット本体とパーティションの関係を示す上面図である。
【図１８】本発明の実施例１５における医療検査用カセットの蓋の部分を取り外し、上から視たときのカセット本体とパーティションの関係を示す上面図である。
【図１９】本発明の実施例１６における医療検査用カセットの蓋の部分を取り外し、上から視たときのカセット本体とパーティションの関係を示す上面図である。
【図２０】本発明の実施例１７における医療検査用カセットの蓋の部分を取り外し、上から視たときのカセット本体とパーティションの関係を示す上面図である。
【図２１】本発明の実施例１８における医療検査用カセットの蓋の部分を取り外し、上から視たときのカセット本体とパーティションの関係を示す上面図である。
【図２２】本発明の実施例１９における医療検査用カセットの蓋の部分を取り外し、上から視たときのカセット本体とパーティションの関係を示す上面図である。
【図２３】本発明の実施例２０における医療検査用カセットの蓋の部分を取り外し、上から視たときのカセット本体とパーティションの関係を示す上面図である。
【図２４】本発明の実施例２１における医療検査用カセットの蓋の部分を取り外し、上から視たときのカセット本体とパーティションの関係を示す上面図である。
【図２５】本発明の実施例２２における医療検査用カセットの蓋の部分を取り外し、上から視たときのカセット本体とパーティションの関係を示す上面図である。
【図２６】本発明の実施例２３における医療検査用カセットの蓋の部分を取り外し、上から視たときのカセット本体とパーティションの関係を示す上面図である。
【図２７】本発明の実施例２４における医療検査用カセットの蓋の部分を取り外し、上から視たときのカセット本体とパーティションの関係を示す上面図である。
【図２８】本発明の実施例２５における医療検査用カセットの蓋の部分を取り外し、上から視たときのカセット本体とパーティションの関係を示す上面図である。
【図２９】本発明の実施例２６における医療検査用カセットの蓋の部分を取り外し、上から視たときのカセット本体とパーティションの関係を示す上面図である。
【図３０】従来の医療検査用カセットの構成を示す断面図である。
【図３１】同カセットから蓋を取り外した状態のカセット本体の上面図である。
【符号の説明】
１  カセット本体
２  蓋
３    透孔
４  記録部
５  係止溝
６  係止部
７  蓋透孔
８  リブ
９  傾斜状係止片
１０    突縁部
１１  係止片
１２  パーティション
１３  壁、ヨコ壁
１３ａ  壁、ヨコ壁の固定部
１４  壁、タテ壁
１４ａ  壁、タテ壁の固定部
１５  矩形状パーティション
１５ａ  固定部
１５ｂ  矩形状パーティションのカセット本体内壁と接する辺
１６  仕切壁
１７  小室
【図１】
2005016948.tif 000003
【図２】
2005016948.tif 000004
【図３】
2005016948.tif 000005
【図４】
2005016948.tif 000006
【図５】
2005016948.tif 000007
【図６】
2005016948.tif 000008
【図７】
2005016948.tif 000009
【図８】
2005016948.tif 000010
【図９】
2005016948.tif 000011
【図１０】
2005016948.tif 000012
【図１１】
2005016948.tif 000013
【図１２】
2005016948.tif 000014
【図１３】
2005016948.tif 000015
【図１４】
2005016948.tif 000016
【図１５】
2005016948.tif 000017
【図１６】
2005016948.tif 000018
【図１７】
2005016948.tif 000019
【図１８】
2005016948.tif 000020
【図１９】
2005016948.tif 000021
【図２０】
2005016948.tif 000022
【図２１】
2005016948.tif 000023
【図２２】
2005016948.tif 000024
【図２３】
2005016948.tif 000025
【図２４】
2005016948.tif 000026
【図２５】
2005016948.tif 000027
【図２６】
2005016948.tif 000028
【図２７】
2005016948.tif 000029
【図２８】
2005016948.tif 000030
【図２９】
2005016948.tif 000031
【図３０】
2005016948.tif 000032
【図３１】
2005016948.tif 000033